(57)【要約】【課題】  情報処理装置に搭載された電気二重層キャパシタ素子のバックアップ供給可能時間を精度良く算出する。【解決手段】  温度推定部２１２は、通常の電力供給期間中における温度センサによる検出結果等に加えて、標準的な気温変化情報や、インターネットを介して取得された観測気温情報等を利用して、通常の電力供給期間中だけでなく、バックアップ期間中の電気二重層キャパシタ素子の温度も推定する。容量推定部２１３は、温度推定部２１２が推定した温度、及び、電気二重層キャパシタ素子の温度特性情報１２３に基づいて、電気二重層キャパシタ素子の静電容量の減少量を推定する。バックアップ時間算出部２１５は、情報処理装置の電源がオフとなる直前に制御処理部２１１から発行される計算指令ＣＡＣに従って、容量推定部２１３による推定結果に基づいて、バックアップ供給可能時間ＢＫＴを算出する。【選択図】  図６
2008306895.tif 000002
【特許請求の範囲】
【請求項１】
供給された電圧値に対応する電荷を蓄積する電気二重層キャパシタ素子と；
外部電源から供給された動作電力を利用して動作するとともに、前記外部電源からの動作電力の供給が途絶えた場合には、前記電気二重層キャパシタ素子から動作電力のバックアップ供給を受けて動作する特定部品と；
前記電気二重層キャパシタ素子の温度の過去における変化の履歴を推定する温度履歴推定手段と；
前記温度履歴推定手段による推定結果に基づいて、前記電気二重層キャパシタ素子の静電容量情報を推定する容量推定手段と；
前記容量推定手段による推定結果に基づいて、前記電気二重層キャパシタ素子から前記特定部品への動作電力のパックアップ供給が可能な時間を算出するバックアップ時間算出手段と；
を備えることを特徴とする情報処理装置。
【請求項２】
前記特定部品は、時刻計時を行うタイマ集積回路である、ことを特徴とする請求項１に記載の情報処理装置。
【請求項３】
前記電気二重層キャパシタ素子の位置と所定の位置関係にある位置に設置された温度検出手段を更に備え、
前記温度履歴推定手段は、前記外部電源から動作電力が供給されている期間については、前記温度検出手段による検出結果と前記所定の位置関係に基づいて、前記電気二重層キャパシタ素子の温度変化を推定する、
ことを特徴とする請求項１又は２に記載の情報処理装置。
【請求項４】
所定の地域ごとに推定された気温変動の情報である標準的気温情報を記憶する気温情報記憶手段を更に備え、
前記温度履歴推定手段は、前記外部電源から動作電力が供給されていない期間であるバックアップ期間については、前記気温情報記憶手段に記憶されている標準的気温情報の中から、設置地点が属すると推定される地域の標準的気温情報である推定気温情報を特定し、前記推定気温情報に基づいて前記電気二重層キャパシタ素子の温度変化を推定する、
ことを特徴とする請求項１〜３のいずれか一項に記載の情報処理装置。
【請求項５】
所定の地域ごとに推定された気温変動の情報である標準的気温情報を記憶する気温情報記憶手段を更に備え、
前記温度履歴推定手段は、
前記外部電源から動作電力が供給されていない期間であるバックアップ期間のうち、設置位置が属すると推定される地域において実際に観測された気温情報である観測気温情報が取得できた期間については、前記観測気温情報に基づいて前記電気二重層キャパシタ素子の温度変化を推定し、
前記外部電源から動作電力が供給されていない期間であるバックアップ期間のうち、前記観測気温情報が取得できなかった期間については、前記気温情報記憶手段に記憶されている標準的気温情報の中から、設置地点が属すると推定される地域の標準的気温情報である推定気温情報を特定し、前記推定気温情報に基づいて前記電気二重層キャパシタ素子の温度変化を推定する、
ことを特徴とする請求項１〜３のいずれか一項に記載の情報処理装置。
【請求項６】
前記電気二重層キャパシタ素子の静電容量の時間変化の温度特性情報が記憶された容量情報記憶手段を更に備え、
前記容量推定手段は、前記温度履歴推定手段による推定結果と、前記電気二重層キャパシタ素子の静電容量の時間変化の温度特性情報とに基づいて、前記電気二重層キャパシタ素子の静電容量情報を推定する、
ことを特徴とする請求項１〜５のいずれか一項に記載の情報処理装置。
【請求項７】
画像を表示する表示手段と；
前記バックアップ時間算出手段による算出結果を前記表示手段に表示させる表示制御手段と；
を更に備えることを特徴とする請求項１〜６のいずれか一項に記載の情報処理装置。
【請求項８】
前記表示手段は、コレステリック液晶表示部を備える、ことを特徴とする請求項７に記載の情報処理装置。
【請求項９】
移動体に搭載可能である、ことを特徴とする請求項１〜８のいずれか一項に記載の情報処理装置。
【請求項１０】
供給された電圧値に対応する電荷を蓄積する電気二重層キャパシタ素子と；外部電源から供給された動作電力を利用して動作するとともに、前記外部電源からの動作電力の供給が途絶えた場合には、前記電気二重層キャパシタ素子から動作電力のバックアップ供給を受けて動作する特定部品と；を備える情報処理装置において使用されるバックアップ供給時間算出方法であって、
前記電気二重層キャパシタ素子の温度の過去における変化の履歴を推定する温度履歴推定工程と；
前記温度履歴推定工程における推定結果に基づいて、前記電気二重層キャパシタ素子の静電容量情報を推定する容量推定工程と；
前記容量推定工程における推定結果に基づいて、前記電気二重層キャパシタ素子から前記特定部品への動作電力のパックアップ供給が可能な時間を算出するバックアップ時間算出工程と；
を備えることを特徴とするバックアップ供給時間算出方法。
【請求項１１】
請求項１０に記載のバックアップ供給時間算出方法を演算手段に実行させる、ことを特徴するバックアップ供給時間算出プログラム。
【請求項１２】
請求項１１に記載のバックアップ供給時間算出プログラムが、演算手段により読み取り可能に記録されている、ことを特徴とする記録媒体。
【発明の詳細な説明】
【技術分野】
【０００１】
本発明は、情報処理装置、バックアップ供給時間算出方法、バックアップ供給時間算出プログラム、及び、当該バックアップ供給時間算出プログラムを記録した記録媒体に関する。
【背景技術】
【０００２】
従来から、ノート型パソコン等の様々な可搬型の電子機器においては、多くの機器において、バックアップ用電源として、バッテリが搭載されている。かかるバッテリとしては、一般に充電可能な２次電池が採用されている。
【０００３】
かかるバックアップ用電源がバックアップ電源として搭載されている電子機器は、安定した電力供給の行える家庭内等の場所以外でも、バッテリを動作電力源として使用することができ、非常に便利なものである。しかし、バッテリの電力供給能力には限りがあるため、長時間にわたって電子機器への電力供給を継続すると、電子機器の使用中にバッテリからの電力供給が途絶えてしまう。かかる動作電力の供給の停止が突然発生することは、利用者にとって重要な情報の消失につながり、好ましくない。
【０００４】
そこで、バッテリ切れとなる前にバッテリ残量を精度良く知る技術が提案されている（特許文献１等参照：以下、「従来例」と呼ぶ）。この従来例の技術では、バッテリにおける放電特性の温度特性の変化を考慮しつつ、バッテリパックの内部温度を精度良く推定したうえで、バッテリにおける放電温度特性の変化を考慮して、バッテリ残量、ひいてはバッテリによる動作電力のバックアップ可能期間の算出誤差を低減するようにしている。
【０００５】
【特許文献１】特開２００５−１４７８１４号公報
【発明の開示】
【発明が解決しようとする課題】
【０００６】
ところで、電荷の蓄積機能を有するキャパシタ素子技術の進歩を背景として、近年における環境への配慮の要請に応えて、電子機器の全体とまではいかなくとも、一部の部品について、大容量の電気二重層キャパシタ素子で動作電力のバックアップ供給を行うことが提唱されている。かかる電気二重層キャパシタ素子による動作電力のバックアップ供給においても、上述のバッテリによるバックアップの場合と同様に、動作電力のバックアップ可能期間の算出誤差を低減することが求められる。
【０００７】
しかしながら、バッテリと電気二重層キャパシタ素子とでは、動作特性が異なるため、電気二重層キャパシタ素子の場合に、バッテリと同様の方法で動作電力のバックアップ可能期間の算出誤差を低減させることはできない。すなわち、バッテリの場合には、バックアップ期間中における放電特性の温度変化が算出誤差の重要な要因となるが、電気二重層キャパシタ素子の場合には、バックアップ期間中における放電特性の温度変化は小さく、バックアップ可能期間の算出誤差に対する大きな要因とはならない。
【０００８】
このため、電気二重層キャパシタ素子をバックアップ電源として採用した場合に、バックアップ可能期間の算出誤差を低減する技術が待望されている。かかる要望に応えることが、本発明が解決すべき課題の一つとして挙げられる。
【０００９】
本発明は、上記の事情を鑑みてなされたものであり、電気二重層キャパシタ素子をバックアップ電源に採用した場合に、バックアップ期間を精度良く算出することにより、利用者の利便性を向上することができる情報処理装置及びバックアップ供給時間算出方法を提供することを目的とする。
【課題を解決するための手段】
【００１０】
請求項１に記載の発明は、供給された電圧値に対応する電荷を蓄積する電気二重層キャパシタ素子と；外部電源から供給された動作電力を利用して動作するとともに、前記外部電源からの動作電力の供給が途絶えた場合には、前記電気二重層キャパシタ素子から動作電力のバックアップ供給を受けて動作する特定部品と；前記電気二重層キャパシタ素子の温度の過去における変化の履歴を推定する温度履歴推定手段と；前記温度履歴推定手段による推定結果に基づいて、前記電気二重層キャパシタ素子の静電容量情報を推定する容量推定手段と；前記容量推定手段による推定結果に基づいて、前記電気二重層キャパシタ素子から前記特定部品への動作電力のパックアップ供給が可能な時間を算出するバックアップ時間算出手段と；を備えることを特徴とする情報処理装置である。
【００１１】
請求項１０に記載の発明は、供給された電圧値に対応する電荷を蓄積する電気二重層キャパシタ素子と；外部電源から供給された動作電力を利用して動作するとともに、前記外部電源からの動作電力の供給が途絶えた場合には、前記電気二重層キャパシタ素子から動作電力のバックアップ供給を受けて動作する特定部品と；を備える情報処理装置において使用されるバックアップ供給時間算出方法であって、前記電気二重層キャパシタ素子の温度の過去における変化の履歴を推定する温度履歴推定工程と；前記温度履歴推定工程における推定結果に基づいて、前記電気二重層キャパシタ素子の静電容量情報を推定する容量推定工程と；前記容量推定工程における推定結果に基づいて、前記電気二重層キャパシタ素子から前記特定部品への動作電力のパックアップ供給が可能な時間を算出するバックアップ時間算出工程と；を備えることを特徴とするバックアップ供給時間算出方法である。
【００１２】
請求項１１に記載の発明は、請求項１０に記載のバックアップ供給時間算出方法を演算手段に実行させる、ことを特徴するバックアップ供給時間算出プログラムである。
【００１３】
請求項１２に記載の発明は、請求項１１に記載のバックアップ供給時間算出プログラムが、演算手段により読み取り可能に記録されている、ことを特徴とする記録媒体である。
【発明を実施するための最良の形態】
【００１４】
以下、本発明の一実施形態を、図１〜図９を参照して説明する。なお、以下の説明及び図面においては、同一又は同等の要素には同一の符号を付し、重複する説明は省略する。
【００１５】
［構成］
図１及び図２には、一実施形態に係る情報処理装置１００の概略的な構成がブロック図にて示されている。なお、この情報処理装置１００は、図１に示されるように、ナビゲーション本体部６００と一体となって車両に搭載されるナビゲーション装置の一部を構成するものであり、ナビゲーション本体部６００から自由に着脱できるものとする。また、情報処理装置１００は、図２に示されるように、装着キット８００に挿入することで、家庭内においても使用することができるものとする。
【００１６】
この図１及び図２に示されるように、情報処理装置１００は、制御ユニット１１０と、ハードディスク装置等の気温情報記憶手段及び容量情報記憶手段としての記憶装置１２０とを備えている。また、情報処理装置１００は、温度検出手段としての温度検出ユニット１３０と、表示手段としての表示部１４０とを備えている。
【００１７】
なお、上記の制御ユニット１１０以外の要素１２０〜１４０は、制御ユニット１１０に接続されている。
【００１８】
制御ユニット１１０は、情報処理装置１００、ひいてはナビゲーション装置の全体を統括制御する。この制御ユニット１１０の詳細については、後述する。
【００１９】
記憶装置１２０は、不揮発性の記憶装置であるハードディスク装置等から構成される。記憶装置１２０内には、ナビゲーション利用情報１２１、標準的気温情報１２２、温度特性情報１２３などの様々な情報が記憶されている。ここで、ナビゲーション利用情報１２１には、地図情報等のナビゲーションのために利用される情報が含まれている。
【００２０】
標準的気温情報１２２とは、所定の地域ごとに推定された気温変動の情報である。この標準的気温情報１２２には、過去の気温の観測結果等に基づいて推定した、１月１日から１２月３１日までの１時間ごとの気温情報が含まれている。
【００２１】
温度特性情報１２３とは、後述する電気二重層キャパシタ素子１１３の、静電容量の時間変化の温度特性情報である。かかる温度特性情報１２３の例をグラフ化したものが、図３に示されている。図３において、横軸は電気二重層キャパシタ素子１１３がさらされる温度であり、縦軸はその温度において電気二重層キャパシタ素子１１３の静電容量が、劣化により、当初の値の所定割合以下になるまでの時間（以下、「寿命時間」と呼ぶ）である。この図３に示されるように、電気二重層キャパシタ素子１１３は、一般に、低温下に比べて、高温下の方が、寿命時間が短いという特性を有している。
【００２２】
図１及び図２に戻り、温度検出ユニット１３０は、温度センサ等を備えて構成され、情報処理装置１００の内部における電気二重層キャパシタ素子１１３と所定の位置関係にある位置に配設されている。このため、温度検出ユニット１３０による検出結果と、電気二重層キャパシタ素子１１３がさらされる温度とは、情報処理装置１００に通常の通電が行われている場合には、所定の関係を有している。
【００２３】
本実施形態においては、温度検出ユニット１３０は、記憶装置１２０に内蔵されている。この温度検出ユニット１３０は、記憶装置１２０内の温度を検出する。温度検出ユニット１３０による検出結果は、ディスク温度ＴＰＤとして、制御ユニット１１０へ向けて送られる。
【００２４】
表示部１４０は、コレステリック液晶表示部等を備えて構成されている。コレステリック液晶は、一度画面に画像を表示すれば、動作電力を供給しなくても表示の維持が可能な記憶型液晶である。この表示部１４０は、制御ユニット１１０による制御のもとで、制御ユニットから送られてきた表示データＩＭＤに基づく画像を表示する。
【００２５】
情報処理装置１００は、上述したように、ナビゲーション本体部６００と一体となって、ナビゲーション装置の一部を構成する（図１参照）。このナビゲーション本体部６００は、音出力ユニット６１０と、表示ユニット６２０と、操作入力ユニット６３０と、走行センサインターフェイス部６４０と、ＧＰＳ受信ユニット６５０とを備えている。また、ナビゲーション本体部６００は、電力供給部６６０を備えている。情報処理装置１００がナビゲーション本体部６００に装着された場合、上記の要素のうち要素６１０〜６５０は、コネクタによって、制御ユニット１１０に接続される。
【００２６】
音出力ユニット６１０は、（ｉ）制御ユニット１１０から受信したデジタル音声データをアナログ信号に変換するＤＡ変換器（Digital to Analog Converter）と、（ii）当該ＤＡ変換器から出力されたアナログ信号を増幅する増幅器と、（iii）増幅されたアナログ信号を音声に変換するスピーカとを備えて構成されている。この音出力ユニット６１０は、制御ユニット１１０による制御のもとで、車両の進行方向、走行状況、交通状況等の案内用音声、音楽等を出力する。
【００２７】
表示ユニット６２０は、（ｉ）液晶パネル、有機ＥＬ（Electric Luminescence）パネル、ＰＤＰ（Plasma Display Panel）等の表示デバイスと、（ii）制御ユニット１１０から送出された表示制御データに基づいて、表示ユニット６２０全体の制御を行うグラフィックレンダラ等の表示コントローラと、（iii）表示画像データを記憶する表示画像メモリ等を備えて構成されている。この表示ユニット６２０は、制御ユニット１１０による制御のもとで、地図情報、ルート情報、操作ガイダンス情報等を表示する。
【００２８】
操作入力ユニット６３０は、ナビゲーション本体部６００に設けられたキー部、あるいはキー部を備えるリモート入力装置等により構成される。ここで、本体部に設けられたキー部としては、表示ユニット６２０の表示デバイスに設けられたタッチパネルを用いることができる。なお、キー部を有する構成に代えて、音声入力する構成を採用することもできる。
【００２９】
この操作入力ユニット６３０を利用者が操作することにより、ナビゲーション装置の動作内容の設定が行われる。例えば、目的地の設定、情報の検索設定、車両の走行状況表示設定等を、利用者が操作入力ユニット６３０を利用して行う。こうした入力内容は、操作入力ユニット６３０から制御ユニット１１０へ送られる。
【００３０】
走行センサインターフェイス部６４０は、車両に搭載された走行センサユニット５００との間におけるデータ授受に関して利用される。ここで、走行センサユニット５００は、（ｉ）車両の移動速度を検出する車速センサと、（ii）車両に作用している加速度を検出する加速度センサと、（iii）車両の角速度を検出する角速度センサとを備えている。ここで、車速センサは、車軸や車輪の回転により出力されるパルス信号を検出する。また、加速度センサは、例えば、３次元方向の加速度を検出する。また、加速度センサは、例えば、いわゆるジャイロセンサとして構成され、加速度を検出する。これらの検出結果は、走行センサインターフェイス部６４０を介して、制御ユニット１１０へ向けて送られる。
【００３１】
ＧＰＳ受信ユニット６５０は、複数のＧＰＳ衛星からの電波の受信結果に基づいて、車両の現在位置の擬似座標値を算出し、制御ユニット１１０へ報告する。また、ＧＰＳ受信ユニット６５０は、ＧＰＳ衛星から送出された時刻情報に基づいて、現在時刻を計時し、制御ユニット１１０へ送る。
【００３２】
電力供給部６６０は、車両電源７００から供給された電力を使用して、要素６１０〜６５０の動作用電力と、情報処理装置１００へ供給する動作用電力ＡＰＷを生成する。
【００３３】
また、情報処理装置１００は、上述したように、装着キット８００に挿入することで、家庭内においても使用することできる（図２参照）。この装着キット８００は、パーソナルコンピュータとの接続に際してインターフェイシングを行うパソコンインターフェイス部８１０と、映像情報供給部８２０と、音声情報供給部８３０とを備えている。また、装着キット８００は、電力供給部８６０を備えている。情報処理装置１００が装着キット８００に挿入された場合、上記の要素のうち要素８１０〜８３０は、コネクタによって、制御ユニット１１０に接続される。
【００３４】
パソコンインターフェイス部８１０は、情報処理装置１００と外部機器であるパーソナルコンピュータ（以下、略して「パソコン」とも呼ぶ）との間におけるデータ授受に際して利用される。本実施形態では、装着キット８００にパソコンが接続されている場合に、制御ユニット１１０から後述する設置位置情報ＰＳＩ及び指定時間帯を伴う観測気温情報の取得要求を受けると、パソコンは、インターネットを介して、設置位置情報ＰＳＩが属する地域において指定時間帯に実際に観測された気温情報である観測気温ＯＴＩを取得し、当該観測気温ＯＴＩを、制御ユニット１１０へ向けて送る。
【００３５】
映像情報供給部８２０は、制御ユニット１１０からの映像情報を受ける。そして、装着キット８００にテレビジョン受像機等の映像表示装置が接続されている場合には、映像情報供給部８２０は、この映像情報を、映像表示装置へ向けて出力する。
【００３６】
音声情報供給部８３０は、制御ユニットからの音声情報を受ける。そして、装着キット８００にミニコンポ等の音響装置が接続されている場合には、音声情報供給部８３０は、この音声情報を、音響装置へ向けて出力する。
【００３７】
電力供給部８６０は、家庭電源９００（例えば、日本国内においては、交流１００Ｖの商用電源）から供給された電力を使用して、要素８１０〜８３０の動作用電力と、情報処理装置１００へ供給する動作用電力ＡＰＷを生成する。
【００３８】
制御ユニット１１０は、図４及び図５に示されるように、ナビゲーション処理部１１１と、計算処理部１１２とを備えている。また、制御ユニット１１０は、電気二重層キャパシタ素子１１３と、タイマ集積回路１１４とを備えている。なお、図４には、情報処理装置１００がナビゲーション本体部６００に装着されたときにおけるナビゲーション本体部６００の構成要素との接続態様が示され、図５には、情報処理装置１００が装着キット８００に挿入されたときにおける装着キット８００の構成要素との接続態様が示されている。
【００３９】
ナビゲーション処理部１１１は、記憶装置１２０にアクセスして、ナビゲーション利用情報１２１における地図情報等を適宜参照し、かつ上述した構成要素６１０〜６５０を利用して、利用者にナビゲーション情報を提供する。すなわち、ナビゲーション処理に対する操作入力ユニット６３０からの入力結果に沿って、走行センサユニット５００による検出結果及びＧＰＳ受信ユニット６５０による測位結果に対応して、記憶装置１２０に記憶されたナビゲーション用のデータを適宜読み出す。つまり、ナビゲーション処理部１１１は、（ａ）利用者が指定する地域の地図を表示ユニット６２０の表示デバイスに表示するための地図表示、（ｂ）自車が地図上のどこに位置するのか、また、どの方角に向かっているのかを算出し、表示ユニット６２０の表示デバイスに表示して利用者に提示するマップマッチング、（ｃ）現在自車が存在する位置から、利用者が指定する任意の位置である目的地までの最適ルート検索、（ｄ）設定されたルートに沿って目的地まで運転するときに、表示ユニット６２０の表示デバイスに案内表示をしたり、音出力ユニット６１０のスピーカを用いて音声案内を出力したりする、といったようなルート案内等を行う。
【００４０】
なお、ナビゲーション処理部１１１は、新たに現在位置を計測するたびに、計測結果を設置位置情報ＰＳＩとして、計算処理部１１２へ向けて送るようになっている。
【００４１】
計算処理部１１２は、温度検出ユニット１３０による検出結果、標準的気温情報ＳＴＩ、観測気温情報ＯＴＩ等に基づいて、情報処理装置１００に搭載された電気二重層キャパシタ素子１１３のバックアップ供給時間を算出する。この計算処理部１１２は、図６に示されるように、表示制御手段としての制御処理部２１１と、温度履歴推定手段としての温度推定部２１２とを備えている。また、計算処理部１１２は、容量推定手段としての容量推定部２１３と、履歴記憶部２１４と、バックアップ時間算出手段としてのバックアップ時間算出部２１５とを備えている。
【００４２】
制御処理部２１１は、計算処理部１１２におけるバックアップ供給時間の算出処理を制御する。制御処理部２１１は、温度推定部２１２へ向けて、温度推定指令ＥＳＣを発行する。この温度推定指令ＥＳＣには、「通常推定指令」と「バックアップ期間推定指令」の２種類がある。「通常推定指令」は、情報処理装置１００がナビゲーション本体部６００に装着されている間、または、情報処理装置１００が装着キット８００に挿入されている間において、情報処理装置１００が、安定した動作電力ＡＰＷの供給をうけて動作している期間の、電気二重層キャパシタ素子１１３の温度を推定すべき旨の命令であり、１時間ごとに発行される。一方、「バックアップ期間推定指令」は、情報処理装置１００がバックアップ期間中の電気二重層キャパシタ素子１１３の温度を推定すべき旨の命令であり、情報処理装置１００の電源が投入されたときに発行される。
【００４３】
また、制御処理部２１１は、バックアップ期間の特定を行う。バックアップ期間の開始時刻は、制御処理部２１１が、情報処理装置１００の電源をオフにすべき旨の指示を受け取ったときの時刻である。制御処理部２１１は、電源をオフにすべき旨の指示を受け取ったとき、その時点における時刻情報をタイマ集積回路１１４から取得して、記憶装置１２０に対して書き込みを行う。バックアップ期間の終点は、情報処理装置１００の電源がオンとなったときの時刻である。制御処理部２１１は、電源がオンとなったとき、その時点における時刻情報をタイマ集積回路１１４から取得し、温度推定指令ＥＳＣによるバックアップ期間推定指令とともに、温度推定部２１２へ向けて送る。
【００４４】
また、制御処理部２１１は、ナビゲーション処理部１１１からの計測された設置位置ＰＳＩを受け続ける。制御処理部２１１は、設置位置ＰＳＩを受けるごとに、設置位置ＰＳＩを更新する。そして、制御処理部２１１は、情報処理装置１００の電源をオフにすべき旨の指令を受けたときは、最新の設置位置情報ＰＳＩを、記憶装置１２０における設置位置格納領域への書き込みを行う。
【００４５】
また、制御処理部２１１は、バックアップ時間算出部２１５へ向けて、電気二重層キャパシタ素子１１３からタイマ集積回路１１４への動作電力ＣＰＷのバックアップ供給が可能な時間を算出すべき旨の計算指令ＣＡＣを発行する。計算指令ＣＡＣは、情報処理装置１００の電源をオフにすべき旨の指令があったときに、電力供給部から情報処理装置１００への動作電力ＡＰＷが途絶える前に発行され、この指令に基づく処理も、動作電力ＡＰＷが途絶える前に行われる。
【００４６】
また、制御処理部２１１は、上記の計算が終了すると、バックアップ時間算出部２１５から、算出結果であるバックアップ時間ＢＫＴを受ける。制御処理部２１１は、このバックアップ時間ＢＫＴの表示用情報を表示データＩＭＤとして、表示部１４０へ向けて送る。
【００４７】
温度推定部２１２は、制御処理部２１１からの温度推定指令ＥＳＣを受けると、電気二重層キャパシタ素子１１３の温度を、以下のようにして推定する。
【００４８】
情報処理装置１００がナビゲーション本体部６００に装着されており、温度推定指令ＥＳＣが「通常推定指令」であるときは、温度推定部２１２は、まず、温度検出ユニット１３０からディスク温度ＴＰＤを取得する。そして、温度推定部２１２は、温度センサと電気二重層キャパシタ素子１１３の位置関係、車内環境等を考慮した温度補正計算を行い、ディスク温度ＴＰＤから、電気二重層キャパシタ素子１１３の温度ＴＭＰを推定する。このようにして推定した温度ＴＭＰは、温度の検出時刻とともに、容量推定部２１３へ向けて送られる。なお、この温度補正計算に用いる係数等は、実験やシミュレーションなどにより予め定められている。
【００４９】
また、情報処理装置１００がナビゲーション本体部６００に装着されており、温度推定指令ＥＳＣが「バックアップ期間推定指令」であるときは、温度推定部２１２は、まず、記憶装置１２０から設置位置情報ＰＳＩとバックアップ期間の開始時刻を取得する。引き続き、温度推定部２１２は、「バックアップ期間推定指令」とともに制御処理部２１１から受けたバックアップ期間の終了時刻と、記憶装置１２０から取得したバックアップ期間の開始時刻とに基づいて、最新のバックアップ期間を特定する。
【００５０】
次いで、温度推定部２１２は、設置位置情報ＰＳＩの属する地域における特定されたバックアップ期間中の１時間ごとの標準気温ＳＴＩを、標準的気温情報１２２から取得する。標準気温ＳＴＩを取得した温度推定部２１２は、車外環境、車内環境等を考慮した温度補正計算を行い、標準気温ＳＴＩから、電気二重層キャパシタ素子１１３の温度ＴＭＰを推定する。このようにして推定された温度ＴＭＰは、バックアップ期間中の１時間ごとの時刻とともに、容量推定部２１３へ向けて送られる。なお、この場合の温度補正計算に用いる係数等は、実験やシミュレーションなどにより予め定められている。
【００５１】
さらに、情報処理装置１００が装着キット８００に挿入されており、温度推定指令ＥＳＣが「通常推定指令」であるときは、温度推定部２１２は、まず、温度検出ユニット１３０からディスク温度ＴＰＤを取得する。そして、温度推定部２１２は、温度センサと電気二重層キャパシタ素子１１３の位置関係、外部環境等を考慮した温度補正計算を行い、ディスク温度ＴＰＤから、電気二重層キャパシタ素子１１３の温度ＴＭＰを推定する。このようにして推定した温度ＴＭＰは、温度の検出時刻とともに、容量推定部２１３へ向けて送られる。なお、この場合の温度補正計算に用いる係数等も、実験やシミュレーションなどにより予め定められている。
【００５２】
また、情報処理装置１００が装着キット８００に挿入されており、温度推定指令ＥＳＣが「バックアップ期間推定指令」であるときは、ナビゲーション本体部６００に装着されているときと同様に、温度推定部２１２は、まず、記憶装置１２０から設置地点ＰＳＩと、バックアップ期間の開始時刻とを取得する。引き続き、温度推定部２１２は、「バックアップ期間推定指令」とともに制御処理部２１１から受けたバックアップ期間の終了時刻と、記憶装置１２０から取得したバックアップ期間の開始時刻とに基づいて、最新のバックアップ期間を特定する。
【００５３】
次いで、温度推定部２１２は、設置位置情報ＰＳＩの属する地域におけるバックアップ期間中の１時間ごとの観測気温ＯＴＩを、パソコンインターフェイス部８１０を介して、パソコンに設置位置情報ＰＳＩ及び指定時間帯を伴う観測気温情報の取得要求を送る。この要求に応答したパソコンから、当該パソコンがインターネットを介して取得した観測気温ＯＴＩを受けると、温度推定部２１２は、外部環境等を考慮した温度補正計算を行い、観測気温ＯＴＩから、電気二重層キャパシタ素子１１３の温度ＴＭＰを推定する。このようにして推定した温度ＴＭＰは、バックアップ期間中の１時間ごとの時刻とともに、容量推定部２１３へ向けて送られる。なお、この場合における温度補正計算に用いる係数等も、実験やシミュレーションなどにより予め定められている。
【００５４】
容量推定部２１３は、温度推定部２１２から温度ＴＭＰを受けると、記憶部１２０から温度特性情報１２３（ＣＴＩ）を取得する。そして、容量推定部２１３は、電気二重層キャパシタ素子１１３の温度特性情報１２３に基づいて、１時間ごとの推定した電気二重層キャパシタ素子１１３の温度ＴＭＰから、当該温度ＴＭＰに対応する静電容量が所定値以下になるまでの時間ＴＴを算出する。次いで、容量推定部２１３は、温度の測定間隔（本実施形態では１時間）をこの時間ＴＴで除算することで、無次元の寿命指数ＣＰＩを算出する。容量推定部２１３は、情報処理装置１００の利用開始後の寿命指数ＣＰＩの総和を計算することで、累積寿命指数ＣＬＩを算出する。累積寿命指数ＣＬＩは、その値が１以上になったときに、電気二重層キャパシタ素子１１３の静電容量が、当初の値の所定割合以下となったことを意味する。現在の電気二重層キャパシタ素子１１３の静電容量値Ｃは、累積寿命指数ＣＬＩから算出することができる。容量推定部２１３は、温度ＴＭＰ、寿命時間ＴＴ、寿命指数ＣＰＩ、累積寿命指数ＣＬＩを、容量履歴情報ＣＡＰとして、履歴記憶部へ向けて送る。
【００５５】
履歴記憶部２１４は、不揮発性の半導体メモリで構成されている。この履歴記憶部２１４には、容量推定部２１３から送られてくる温度ＴＭＰ、寿命時間ＴＴ、寿命指数ＣＰＩ、累積寿命指数ＣＬＩを、容量履歴情報ＣＰＩの履歴が記憶されている。これらの履歴データのうち、最新の累積寿命指数ＣＬＩが、バックアップ時間算出部２１５によって読み出される。
【００５６】
バックアップ時間算出部２１５は、制御処理部２１１からの計算指令ＣＡＣを受けると履歴記憶部２１４から累積寿命指数ＣＬＩを読み取る。そして、バックアップ時間算出部２１５は、この累積寿命指数ＣＬＩを利用して、その時点における電気二重層キャパシタ素子１１３の静電容量の推定値を算出する。引き続き、バックアップ時間算出部２１５は、静電容量の推定値に基づいて、タイマ集積回路１１４への動作電力のバックアップ供給が可能な時間を算出する。算出結果は、バックアップ時間ＢＫＴとして、制御処理部２１１へ向けて送られる。
【００５７】
図４及び図５に戻り、電気二重層キャパシタ素子１１３は、バックアップ用電源として、情報処理装置１００に搭載されている。この電気二重層キャパシタ素子１１３は、通常通電時においては、動作電力ＡＰＷによる充電が行われるとともに、バックアップ期間中においては、タイマ集積回路１１４に動作電力ＣＰＷを供給する。なお、本実施形態においては、電気二重層キャパシタ素子１１３は、タイマ集積回路１１４についてのバイパスコンデンサとしての機能も果たすようになっており、一方の端子が接地されるとともに、他方の端子がタイマ集積回路１１４の動作電力供給用端子に接続され、当該他方の端子に電力供給部６６０又は８６０から給電が行われるようになっている。
【００５８】
タイマ集積回路１１４は、情報処理装置１００がナビゲーション本体部６００に装着されている間は電力供給部６６０から動作電力ＡＰＷの供給を受け、また、装着キット８００に挿入されている間は電力供給部８６０から動作電力ＡＰＷを受けて計時動作を行う。一方、バックアップ期間中においては、タイマ集積回路１１４は、電気二重層キャパシタ素子１１３から動作電力のバックアップ供給を受けて計時動作を行う。
【００５９】
［動作］
次に、上記のように構成された情報処理装置１００の動作について、計算処理部１１２によるバックアップ供給時間の算出処理に、主に着目して説明する。
【００６０】
前提として、当初は、情報処理装置１００は、工場出荷後、直ちにナビゲーション本体部６００に装着されているものとする。なお、情報処理装置１００は、図７に示したように、ある日の１５：３０に利用が開始され、その後１８：３５まではナビゲーション装置に装着されて給電されたものとする。また、その翌日の０：２５〜２：３０までは装着キット８００に装着されて給電されたものとする。また、情報処理装置１００は、その後４：３５〜６：３０まではナビゲーション装置に装着されて給電されたものとする。
【００６１】
なお、情報処理装置１００は、ナビゲーション本体部６００と接続キット８００のいずれかにしか、装着されないものとする。
【００６２】
情報処理装置１００がナビゲーション本体部６００又は装着キット８００に装着されて電源が投入されると、計算処理部１１２によるバックアップ供給時間の算出処理が開始される。このバックアップ供給時間の算出処理に際しては、図８に示されるように、まず、ステップＳ１１において、計算処理部１１２が、情報処理装置１００がナビゲーション本体部６００に装着されているか否かを判定する。この判定は、制御処理部２１１が行う。この判定の結果が肯定的であった場合（ステップＳ１１：Ｙ）には、処理はステップＳ１２へ進む。
【００６３】
一方、ステップＳ１１における判定の結果が否定的であった場合（ステップＳ１１：Ｎ）、すなわち、情報処理装置１００が装着キット８００に挿入されている場合には、処理はステップＳ１３へ進む。
【００６４】
本使用例では、情報処理装置１００は、使用開始時点（当初日の１５：３０）においては、ナビゲーション本体部６００に装着されているので、ステップＳ１２の処理へ進むこととなる。
【００６５】
ステップＳ１２では、情報処理装置１００のバックアップ期間中における電気二重層キャパシタ素子１１３の温度ＴＭＰを推定し、この推定結果に基づいて、寿命指数ＣＰＩ及び累積寿命指数ＣＬＩを算出する。なお、使用開始時点においては、その前にバックアップ期間は存在していないので、ステップＳ１２においては、電気二重層キャパシタ素子１１３の温度ＴＭＰの推定、並びに、寿命指数ＣＰＩ及び累積寿命指数ＣＬＩの算出は行われずに、処理はステップＳ１４へ進む。
【００６６】
なお、使用開始時点以外の時点、すなわち、その時点前にバックアップ期間は存在していた場合には、ステップＳ１２において、以下の処理が実行される。
【００６７】
まず、制御処理部２１１が、時刻情報をタイマ集積回路１１４から取得し、バックアップ期間の終了時刻を特定する。引き続き、制御処理部２１１は、特定されたバックアップ期間の終了時刻とともに、「バックアップ期間推定指令」である旨の温度推定指令ＥＳＣを、温度推定部２１２へ向けて発行する。この温度推定指令ＥＳＣを受けた温度推定部２１２は、バックアップ期間における電気二重層キャパシタ素子１１３の温度ＴＭＰを推定する。
【００６８】
かかる温度推定に際して、温度推定部２１２は、バックアップ期間、及び、バックアップ期間中に情報処理装置１００が設置されていた位置を特定する。このバックアップ期間及び設置位置の特定に際しては、温度推定部２１２は、バックアップ期間の開始時刻及び設置位置情報ＰＳＩを、記憶装置１２０から読み取る。そして、温度推定部２１２は、読み取られた開始時刻と、「バックアップ期間推定指令」とともに制御処理部２１１から受信したバックアップ期間の終了時刻とに基づいて、バックアップ期間を特定する。また、温度推定部２１２は、読み取られた設置位置情報ＰＳＩに基づいて、バックアップ期間中における情報処理装置１００の設置位置を特定する。
【００６９】
次に、温度推定部２１２は、特定されたバックアップ期間中における設置位置情報ＰＳＩの属する地域におけるバックアップ期間中の所定時間（本実施形態においては、１時間）ごとの標準気温ＳＴＩを、記憶装置１２０の標準的気温情報１２２から取得する。引き続き、標準気温ＳＴＩを取得した温度推定部２１２は、車外環境、車内環境等を考慮した温度補正計算を行い、標準気温ＳＴＩから、電気二重層キャパシタ素子１１３の温度ＴＭＰを推定する。そして、この温度ＴＭＰは、容量推定部２１３へ向けて送られる。
【００７０】
容量推定部２１３は、温度推定部２１２からの温度ＴＭＰを受けると、温度特性情報（ＣＴＩ）を、記憶装置１２０から取得する。そして、容量推定部２１３は、温度ＴＭＰと、取得された温度特性情報に基づいて、寿命時間ＴＴ、寿命指数ＣＰＩ、累積寿命指数ＣＬＩを算出する。これらの計算結果は、温度ＴＭＰとともに、履歴記憶部２１４へ向けて送られ、履歴記憶部２１４に記憶される。こうして、履歴記憶部２１４へのデータ書き込みが終了すると、ステップＳ１２の処理は終了し、処理は、ステップＳ１４へ進む。
【００７１】
ステップＳ１４では、制御処理部２１１は、情報処理装置１００への電源供給をオフにすべき旨の指令があったか否かを判定する。この判定の結果が否定的であった場合（ステップＳ１４：Ｎ）には、処理はステップＳ１５へ進む。
【００７２】
ステップＳ１５では、制御処理部２１１が、タイマ集積回路１１４から受け取った時刻をもとに、所定の時間間隔が経過したか否かを判定する。本実施形態においては、所定の時間間隔は１時間である。この判定の結果が否定的であった場合（ステップＳ１５：Ｎ）には、処理はステップＳ１４へ戻る。
【００７３】
一方、この判定の結果が肯定的であった場合（ステップＳ１５：Ｙ）には、制御処理部２１１は、温度推定部２１２へ向けて、「通常推定指令」である旨の温度推定指令ＥＳＣを発行する。その後、処理はステップＳ１６へ進む。なお、前述したように、この温度推定指令ＥＳＣは、１時間ごとに発行される。
【００７４】
ステップＳ１６では、動作電力ＡＰＷが情報処理装置１００へ供給されている期間の電気二重層キャパシタ素子１１３の温度ＴＭＰを推定し、この推定結果に基づいて、寿命指数ＣＰＩと累積寿命指数ＣＬＩを算出する。
【００７５】
電気二重層キャパシタ素子１１３の温度ＴＭＰは、ステップＳ１２と同様に、温度推定部２１２によって推定される。このステップＳ１６においては、温度推定部２１２は、まず、温度検出ユニット１３０からディスク温度ＴＰＤを取得する。ディスク温度ＴＰＤを取得した温度推定部２１２は、温度センサと電気二重層キャパシタ素子１１３の位置関係、車内環境等を考慮した温度補正計算を行い、ディスク温度ＴＰＤから、電気二重層キャパシタ素子１１３の温度ＴＭＰを推定する。この推定した温度ＴＭＰは、容量推定部２１３へ向けて送られる。
【００７６】
容量推定部２１３は、温度ＴＭＰと温度特性情報１２３（ＣＴＩ）に基づいて、ステップＳ１２の場合と同様の処理を行い、寿命時間ＴＴ、寿命指数ＣＰＩ、累積寿命指数ＣＬＩを算出する。これらの計算結果は、温度ＴＭＰとともに、履歴記憶部２１４に記憶される。その後、処理は、履歴記憶部２１４へのデータ書き込むが終了すると、ステップＳ１５の処理は終了し、処理は、ステップＳ１４へ戻る。
【００７７】
本使用例では、当初日の１６：００，１７：００，１８：００の時点で、ステップＳ１５における判定の結果が肯定的となり、ステップＳ１６の処理が行われる。そして、その時点における温度ＴＭＰ、寿命時間ＴＴ、寿命指数ＣＰＩ、累積寿命指数ＣＬＩが、履歴記憶部２１４に書き込まれる（図９参照）。
【００７８】
一方、ステップＳ１４における判定の結果が肯定的となると（ステップＳ１４：Ｙ）、処理はステップＳ１７へ進む。このステップＳ１７では、タイマ集積回路１１４への動作電力のバックアップ供給が可能な時間を算出する。この処理は、制御処理部２１１がバックアップ時間算出部２１５へ向けて、計算指令ＣＡＣを発行することにより開始される（図６参照）。
【００７９】
計算指令ＣＡＣを受けたバックアップ時間算出部２１５は、履歴記憶部２１４に記録されたから累積寿命指数ＣＬＩを読み取る。引き続き、バックアップ時間算出部２１５は、読み取られた累積寿命指数ＣＬＩを利用して、その時点における電気二重層キャパシタ素子１１３の静電容量の推定値を算出する。そして、バックアップ時間算出部２１５は、静電容量の推定値に基づいて、タイマ集積回路１１４への動作電力のバックアップ供給が可能な時間を算出する。この算出結果は、バックアップ時間ＢＫＴとして、制御処理部２１１へ向けて送られる。この後、ステップＳ１７の処理は終了し、処理はステップＳ１８へ進む。
【００８０】
ステップＳ１８では、制御処理部２１１は、バックアップ時間算出部２１５からのバックアップ供給時間ＢＫＴを受ける。そして、制御処理部２１１は、バックアップ時間ＢＫＴの表示用情報を表示データＩＭＤとして、表示部１４０へ向けて送る。これにより、コレステリック液晶表示部にバックアップ供給時間が表示される。
【００８１】
その後、電力供給部６６０から情報処理装置１００への動作電力ＡＰＷは途絶え、情報処理装置１００は、バックアップ期間に入る。バックアップ期間中においては、電気二重層キャパシタ素子１１３から、タイマ集積回路１１４に対してのみ、動作電力ＣＰＷが供給される。
【００８２】
本使用例では、情報処理装置１００への電力給電を遮断すべき旨の指令があった１８：３５の時点で、ステップＳ１４における判定の結果が否定的となり、ステップＳ１７及びステップＳ１８の処理が行われる。そして、情報処理部１００の表示部１４０に、バックアップ供給可能時間が表示される。
【００８３】
また、本使用例では、情報処理装置１００は、翌日の０：２５の時点で、接続キット８００に挿入された状態で、再度、給電オンとされる。この給電オンにより、図８の処理が開始される。今回の場合には、情報処理装置１００は、接続キット８００に挿入されているので、ステップＳ１１における判定の結果は否定的となり、処理はステップＳ１３へ進むこととなる。
【００８４】
ステップＳ１３において、温度推定部２１２が、情報処理装置１００のバックアップ期間中における電気二重層キャパシタ素子１１３の温度ＴＭＰを推定し、この推定結果に基づいて、容量推定部２１３が寿命指数ＣＰＩと累積寿命指数ＣＬＩを算出する処理を行う。
【００８５】
かかるステップＳ１３における処理では、まず、制御処理部２１１が、上述したステップＳ１２の場合と同様にして、時刻情報をタイマ集積回路１１４から取得し、バックアップ期間の終了時刻を特定した後、特定されたバックアップ期間の終了時刻とともに、「バックアップ期間推定指令」である旨の温度推定指令ＥＳＣを、温度推定部２１２へ向けて発行する。この温度推定指令ＥＳＣを受けた温度推定部２１２は、バックアップ期間における電気二重層キャパシタ素子１１３の温度ＴＭＰを推定する。
【００８６】
ステップＳ１３における温度推定に際して、温度推定部２１２は、まず、ステップＳ１２の場合と同様にして、バックアップ期間、及び、バックアップ期間中に情報処理装置１００が設置されていた位置を特定する。引き続き、温度推定部２１２は、設置位置情報ＰＳＩの属する地域におけるバックアップ期間中の１時間ごとの観測気温ＯＴＩを、パソコンインターフェイス部８１０を介して、パソコンに設置位置情報ＰＳＩ及び指定時間帯を伴う観測気温情報の取得要求を送る。
【００８７】
この要求に応答したパソコンは、インターネットを介して観測気温ＯＴＩを取得する。そして、パソコンは、パソコンインターフェイス部８１０を介して、取得された観測気温ＯＴＩを温度推定部２１２へ送る。
【００８８】
観測気温ＯＴＩを受けた温度推定部２１２は、当初日の１９：００から翌日の０：００までのバックアップ期間中における温度ＴＭＰを、観測気温ＯＴＩに基づいて算出する。こうして得られた温度ＴＭＰは、温度推定部２１２から容量推定部２１３へ向けて送られる。
【００８９】
温度ＴＭＰを受けた容量推定部２１３は、上述したステップＳ１２の場合と同様にして、寿命時間ＴＴ、寿命指数ＣＰＩ、累積寿命指数ＣＬＩを算出する。これらの計算結果は、温度ＴＭＰとともに、履歴記憶部２１４へ向けて送られ、履歴記憶部２１４に記憶される。こうして、履歴記憶部２１４へのデータ書き込みが終了すると、ステップＳ１３の処理は終了し、処理はステップＳ１４へ進む。
【００９０】
以後、情報処理装置１００が、給電オフ状態となるまでの間は、前述したステップＳ１４からステップＳ１６の処理が繰り返される。そして、情報処理装置１００への電力供給を遮断すべき旨の指令があった時点（翌日の２：３０）で、ステップＳ１７とステップＳ１８の処理が行われ、これらの処理終了後に、情報処理部１００の表示部１４０に、バックアップ供給可能時間が表示される。
【００９１】
また、本使用例では、翌日の４：３０から６：３０までの期間においては、情報処理装置１００は、ナビゲーション本体部６００に装着されて、ナビゲーション装置として動作している。かかる翌日の４：３０の時点で給電オン状態となると、図８の処理が開始される。今回の場合には、情報処理装置１００は、ナビゲーション本体部６００に挿入されているので、ステップＳ１１における判定の結果は肯定的となり、処理はステップＳ１２へ進むこととなる。
【００９２】
今回の場合、給電オンとされる前にバックアップ期間が存在しているので、そうした場合における上述したステップＳ１２の処理が実行される。その後、ステップＳ１４〜Ｓ１８の処理が実行されて、翌日の６：３０の時点で、表示部１４０にバックアップ供給可能時間が表示される。
【００９３】
以上説明したように、本実施形態では、外部電源からの電力供給期間だけでなく、情報処理装置１００への給電がオフされた状態であるバックアップ期間においても、電気二重層キャパシタ素子１１３の温度を精度よく推定することができる。一般に、電気二重層キャパシタ素子の場合には、バックアップ期間中であるか否かにかかわらず、全期間にわたっての温度の時間変化に伴う静電容量の時間変化特性が、バックアップ可能期間の算出誤差に対する大きな要因となる。このため、全期間にわたる温度を精度よくバックアップ可能期間を算出することは、欠かせない。
【００９４】
したがって、本実施形態によれば、電気二重層キャパシタ素子をバックアップ電源に採用した場合に、バックアップ期間を精度良く算出することができ、これにより、利用者の利便性を向上させることができる。
【００９５】
［実施形態の変形］
本発明は、上記の実施形態に限定されるものではなく、様々な変形が可能である。
【００９６】
例えば、上記の実施形態では、電気二重層キャパシタ素子の温度を推定する時間間隔を１時間ごとにしたが、時間間隔は任意であってもよい。
【００９７】
また、上記の実施形態では、電気二重層キャパシタ素子１１３は、バックアップ期間中においては、タイマ集積回路１１４に動作電力ＣＰＷを供給することとしたが、電気二重層キャパシタ素子１１３からの動作電力のバックアップ供給を受ける特定部品はタイマ集積回路１１４に限らない。
【００９８】
また、上記の実施形態では、温度検出ユニット１３０は記憶装置１２０に内蔵されることとしたが、温度センサが検出した温度から電気二重層キャパシタ素子１１３の温度を推定できるのであれば、いかなるところに温度検出ユニット１３０を配設してもよい。
【００９９】
また、上記の実施形態では、情報処理装置１００が装着キット８００に挿入されているはインターネットを通じて、実際の観測気温ＯＴＩを利用することとしたが、観測気温ＯＴＩを取得することができない場合には標準気温ＳＴＩを利用してもよい。
【０１００】
また、上記の実施形態では、バックアップ期間中における電気二重層キャパシタ素子の温度推定に標準気温ＳＴＩと観測気温ＯＴＩを利用したが、信頼のおける気温データであれば、いかなるものであってもよい。
【０１０１】
また、温度推定部２１２が、車内環境等を考慮して電気二重層キャパシタ素子１１３の温度を推定するが、温度補正計算は夏季日中の密閉した車内空間が異常な高温下となるといった車内環境を考慮するようにすることもできる。
【０１０２】
また、上記の実施形態では、情報処理装置１００はナビゲーション装置の一部を構成するものとしたが、ナビゲーション装置以外の移動体搭載機器の一部として本発明を適用することができるのは、勿論である。
【０１０３】
なお、上記の実施形態における制御ユニット１１０の一部又は全部を中央処理装置（ＣＰＵ：Central Processing Unit）、ＤＳＰ（Digital Signal Processor）、読出専用メモリ（ＲＯＭ：Read Only Memory）、ランダムアクセスメモリ（ＲＡＭ：Random Access Memory）等を備えた演算手段としてのコンピュータとして構成し、予め用意されたプログラムを当該コンピュータで実行することにより、上記の実施形態における処理の一部又は全部を実行するようにしてもよい。このプログラムはハードディスク、ＣＤ−ＲＯＭ、ＤＶＤ等のコンピュータで読み取り可能な記録媒体に記録され、当該コンピュータによって記録媒体から読み出されて実行される。また、このプログラムは、ＣＤ−ＲＯＭ、ＤＶＤ等の可搬型記録媒体に記録された形態で取得されるようにしてもよいし、インターネットなどのネットワークを介した配送の形態で取得されるようにしてもよい。
【図面の簡単な説明】
【０１０４】
【図１】本発明の一実施形態に係る情報処理装置の構成を概略的に示すブロック図である（その１）。
【図２】本発明の一実施形態に係る情報処理装置の構成を概略的に示すブロック図である（その２）。
【図３】電気二重層キャパシタ素子の静電容量の時間変化としての温度特性情報を説明するための図である。
【図４】図１の制御ユニットの構成を示すブロック図である。
【図５】図２の制御ユニットの構成を示すブロック図である。
【図６】図４及び図５の計算処理部１１２の構成を示すブロック図である。
【図７】図１の装置による動作を説明するための使用例の時系列図である。
【図８】図６の計算処理部におけるバックアップ供給時間の算出処理を説明するためのフローチャートである。
【図９】履歴記憶部に記憶される温度履歴、寿命指数及び累積寿命指数の例である。
【符号の説明】
【０１０５】
１００  …  情報処理装置
１１３  …  電気二重層キャパシタ素子
１１４  …  タイマ集積回路（特定部品）
１２０  …  記憶装置（気温情報記憶手段、容量情報記憶手段）
１３０  …  温度検出ユニット（温度検出手段）
１４０  …  表示部（表示手段）
２１１  …  制御処理部（表示制御手段）
２１２  …  温度推定部（温度履歴推定手段）
２１３  …  容量推定部（容量推定手段）
２１５  …  バックアップ時間算出部（バックアップ時間算出手段）
【図１】
2008306895.tif 000003
【図２】
2008306895.tif 000004
【図３】
2008306895.tif 000005
【図４】
2008306895.tif 000006
【図５】
2008306895.tif 000007
【図６】
2008306895.tif 000008
【図７】
2008306895.tif 000009
【図８】
2008306895.tif 000010
【図９】
2008306895.tif 000011